(57)【要約】【課題】光デュオバイナリ変調方式と光ＤＰＳＫ変調方式のいずれかを選択できる光送信器、光伝送システム及び変調方式選択方法を提供する。【解決手段】第１及び第２の入力端子から入力される２値論理信号の排他的論理和を第１の出力信号として出力する第１の排他的論理和回路と、第１の出力信号を所定量遅延させて第２の入力端子に出力する遅延手段と、第１の出力信号を入力し、第１の出力信号を３値信号に変換して第２の出力信号として出力する低域通過フィルタ手段と、選択信号に基づき第１の出力信号及び第２の出力信号のいずれか一方を選択して出力する選択手段と、を有する。【選択図】図８
2009171135.tif 000002
【特許請求の範囲】
【請求項１】
第１及び第２の入力端子から入力される２値論理信号の排他的論理和を第１の出力信号として出力する第１の排他的論理和回路と、
前記第１の出力信号を所定量遅延させて前記第２の入力端子に出力する遅延手段と、
前記第１の出力信号を入力し、前記第１の出力信号を３値信号に変換して第２の出力信号として出力する低域通過フィルタ手段と、
選択信号に基づき前記第１の出力信号及び前記第２の出力信号のいずれか一方を選択して出力する選択手段と、
を有することを特徴とする光送信器。
【請求項２】
前記選択信号は、前記選択手段の選択結果に対応する所定の論理レベルに保持され、
前記選択信号と第３の入力端子から入力される２値論理信号の排他的論理和を前記第１の入力端子に出力する第２の排他的論理和回路をさらに有することを特徴とする請求項１記載の光送信器。
【請求項３】
所定の波長の光を出力する光源手段と、
前記選択手段により選択された信号と、前記光源手段により出力された光とに基づいて光信号を生成し、出力する変調手段と、
をさらに有することを特徴とする請求項１又は２記載の光送信器。
【請求項４】
前記選択手段により選択された信号を、所定の振幅まで増幅させる増幅手段をさらに有し、
前記増幅手段により増幅された信号は、前記変調手段に入力されることを特徴とする請求項１から３のいずれか１項に記載の光送信器。
【請求項５】
請求項１から４のいずれか１項に記載の光送信器と、
前記光送信器から出力される光信号を受信し、該光信号を復調する光受信器と、
を有することを特徴とする光伝送システム。
【請求項６】
第１及び第２の入力端子から入力される２値論理信号の排他的論理和を第１の出力信号として出力する第１の出力信号出力ステップと、
前記第１の出力信号を所定量遅延させた後、３値信号に変換して第２の出力信号として出力する第２の出力信号出力ステップと、
選択信号に基づき前記第１の出力信号及び前記第２の出力信号のいずれか一方を選択して出力する選択ステップと、
を有することを特徴とする変調方式選択方法。
【請求項７】
前記選択信号は、前記選択手段の選択結果に対応する所定の論理レベルに保持され、
前記選択信号と第３の入力端子から入力される２値論理信号の排他的論理和を前記第１の入力端子に出力する第２の排他的論理和ステップをさらに有することを特徴とする請求項６記載の変調方式選択方法。
【請求項８】
光源から所定の波長の光を出力する光出力ステップと、
前記選択ステップで選択された信号と、前記光出力ステップで出力された光とに基づいて光信号を生成し、出力する光信号生成ステップと、
をさらに有することを特徴とする請求項６又は７記載の変調方式選択方法。
【請求項９】
前記選択ステップで選択された信号を、所定の振幅まで増幅させる増幅ステップをさらに有することを特徴とする請求項６から８のいずれか１項に記載の変調方式選択方法。
【発明の詳細な説明】
【技術分野】
【０００１】
本発明は、光伝送システムに使用される光送信器、光伝送システム及び変調方式選択方法に関する。
【背景技術】
【０００２】
光伝送システム（装置）に使用される光送信器がある。このような光送信器には、そのアプリケーションに応じた変調方式として、例えば、光ＤＰＳＫ（Differential Phase Shift Keying）変調方式（例えば、特許文献１、２参照）、光デュオバイナリ変調方式（例えば、特許文献３、４参照）、などが採用される。光デュオバイナリ変調方式は、分散耐力に優れた特性を有しているが、受信感度がやや劣る特性である。一方、光ＤＰＳＫ変調方式は、受信感度特性に優れているが、分散耐力特性がやや劣っている。よって、光デュオバイナリ変調方式は、メトロエリア向け(比較的伝送距離の短いところ)のシステムに適しており、一方、光ＤＰＳＫ変調方式は、バックボーンのような長距離システムに適している。
【特許文献１】特開２００３−０８７２０１号公報
【特許文献２】特開２００３−１３４１８１号公報
【特許文献３】特開２００４−１３５３４５号公報
【特許文献４】特開２００５−１０２２２１号公報
【発明の開示】
【発明が解決しようとする課題】
【０００３】
上述したように、光送信器に採用される変調方式として、光デュオバイナリ変調方式や光ＤＰＳＫ変調方式がある。しかし、それぞれの変調方式は一長一短であるため、光送信器の製造者や使用者（ユーザ）は、必要に応じて、上記各変調方式の光送信器を作り分けたり、使い分けたりする必要があった。
【０００４】
このような事情から、光送信器において、光デュオバイナリ変調方式と光ＤＰＳＫ変調方式の２つの変調方式を有するように構成し、適用するアプリケーションに応じて、いずれかの変調方式を選択できるようにすることは、製造者や使用者にとってきわめて有効である。
【０００５】
本発明は、上記事情に鑑みてなされたものであり、光デュオバイナリ変調方式と光ＤＰＳＫ変調方式の２つの変調方式のうち、いずれかの変調方式を選択できるようにすることができる光送信器、光伝送システム及び変調方式選択方法を提供することを目的とする。
【課題を解決するための手段】
【０００６】
かかる目的を達成するために、本発明の光送信器は、第１及び第２の入力端子から入力される２値論理信号の排他的論理和を第１の出力信号として出力する第１の排他的論理和回路と、第１の出力信号を所定量遅延させて第２の入力端子に出力する遅延手段と、第１の出力信号を入力し、第１の出力信号を３値信号に変換して第２の出力信号として出力する低域通過フィルタ手段と、選択信号に基づき第１の出力信号及び第２の出力信号のいずれか一方を選択して出力する選択手段と、を有することを特徴とする。
【０００７】
本発明の光伝送システムは、本発明の光送信器と、光送信器から出力される光信号を受信し、光信号を復調する光受信器と、を有することを特徴とする。
【０００８】
本発明の変調方式選択方法は、第１及び第２の入力端子から入力される２値論理信号の排他的論理和を第１の出力信号として出力する第１の出力信号出力ステップと、第１の出力信号を所定量遅延させ、第１の出力信号を３値信号に変換して第２の出力信号として出力する第２の出力信号出力ステップと、選択信号に基づき第１の出力信号及び第２の出力信号のいずれか一方を選択して出力する選択ステップと、を有することを特徴とする。
【発明の効果】
【０００９】
本発明によれば、適用するアプリケーションに応じて、光デュオバイナリ変調方式と光ＤＰＳＫ変調方式のいずれかを簡便に選択できる。よって、製造者にとっては、２つの異なるアプリケーションを１つの製品でカバーすることが可能となる。また、使用者にとっては、２つの異なるアプリケーションにおいても、同一の製品を持つことで、保守品などの効率化を図ることが可能となる。
【発明を実施するための最良の形態】
【００１０】
以下、本発明を実施するための最良の形態について添付図面を参照して詳細に説明する。
【００１１】
〔光送信器〕
本発明の一実施形態である光送信器は、光伝送システム（装置）に使用される光送信器である。また、本発明の光送信器は、光デュオバイナリ変調方式と光ＤＰＳＫ変調方式の２つの変調方式を有する。そして、本発明の光送信器は、２つの変調方式を適用するアプリケーションに応じて、簡便に選択できることを特徴としている。
【００１２】
まず、本発明の一実施形態である光送信器の構成について、図１を参照して説明する。図１は、本発明の一実施形態である光送信器の構成を示すブロック図である。
【００１３】
図１に示すように、本発明の光送信器は、入力端子１０及び１１と、プリコーダ９と、ローパスフィルタ４と、セレクタ回路５と、変調器駆動回路６と、光強度変調器７と、レーザー光源８と、を有する。
【００１４】
入力端子１０は、変調方式選択信号が入力される端子である。また、入力端子１１は、主信号が入力される端子である。なお、主信号及び変調方式選択信号は、図示しない信号発生部でそれぞれ発生され、各入力端子１０、１１に入力される。
【００１５】
変調方式選択信号は、論理「１」又は「０」のディジタル制御信号であり、光ＤＰＳＫ変調方式又は光デュオバイナリ変調方式を示す。本実施形態では、図５に示すように、論理「１」は光デュオバイナリ変調方式を示し、論理「０」は光ＤＰＳＫ変調方式を示すものとする。
【００１６】
主信号は、伝送対象の信号であり、図５に示すように、論理「１」又は「０」の２値で表されるディジタル信号（ＮＲＺ（No Return to Zero）信号）である。
【００１７】
プリコーダ９は、ＥＸ−ＯＲ（EXclusive-OR circuit：排他的論理和回路）１と、ＥＸ−ＯＲ２と、遅延器３とを有する。プリコーダ９は、主信号及び変調方式選択信号に基づいて、光ＤＰＳＫ変調方式の光信号を生成するためのディジタル信号（第１の出力信号）を生成する。
【００１８】
ＥＸ−ＯＲ１は、論理演算（排他的論理和）を行う回路である。このＥＸ−ＯＲ１には、入力端子１０から入力された変調方式選択信号が、図示しない第４の入力端子を介して入力される。また、このＥＸ−ＯＲ１には、入力端子１１から入力された主信号が、図示しない第３の入力端子を介して入力される。ＥＸ−ＯＲ１は、入力した変調方式選択信号及び主信号に基づいて論理演算を行い、ＥＸ−ＯＲ２に対して出力信号を出力する。すなわち、ＥＸ−ＯＲ１は、図２に示すように、入力した変調方式選択信号が論理「０」の場合（光ＤＰＳＫ変調方式を示す場合）には、入力した主信号と同一の信号を出力信号として出力する。その一方で、ＥＸ−ＯＲ１は、図２に示すように、入力した変調方式選択信号が論理「１」の場合（光デュオバイナリ変調方式を示す場合）には、入力した主信号の論理反転信号を出力信号として出力する。このようにＥＸ−ＯＲ１から出力される出力信号の例を、図５の「ＥＸ−ＯＲ１出力（ＥＸ−ＯＲ２入力）」にそれぞれ示す。
【００１９】
光ＤＰＳＫ変調方式又は光デュオバイナリ変調方式のいずれかを用いて光送信信号の伝送を行うにしても、最終的に光受信器からの出力は主信号と同一になる必要がある。そのために、本実施形態では、ＥＸ−ＯＲ１を備えるようにしている。ＥＸ−ＯＲ１が必要となる理由について、以下具体的に説明する。ＥＸ−ＯＲ１で主信号を論理反転しない場合の例を図７に示す。ＥＸ−ＯＲ１で主信号を論理反転しないとすると、図７の「ＥＸ−ＯＲ１出力」に示すように、ＥＸ−ＯＲ１からの出力信号は主信号と同一となる。この出力信号は、ＥＸ−ＯＲ２及びローパスフィルタ４を経た後に、生成される光送信信号の元となる。そして、生成された光送信信号は、光受信器に送信される。しかし、図７の「光受信器出力」に示すように、光受信器からは主信号が反転したものが出力され、正しい伝送ができないことになる。そこで、本実施形態では、ＥＸ−ＯＲ１において、変調方式選択信号が光デュオバイナリ変調方式を示す場合、主信号の論理反転信号を出力信号として出力するようにする。このようにすることで、図５の「光デュオバイナリ変調方式」の「光受信器出力」に示すように、光受信器からは主信号と同一の信号が出力され、正しい伝送が行われる。また、本実施形態では、ＥＸ−ＯＲ１において、変調方式選択信号が光ＤＰＳＫ変調方式を示す場合、主信号をそのまま出力信号として出力するようにする。このようにすることで、図５の「光ＤＰＳＫ変調方式」の「光受信器出力」に示すように、光受信器からは主信号と同一の信号が出力され、正しい伝送が行われる。
【００２０】
ＥＸ−ＯＲ２は、ＥＸ−ＯＲ１と同様に論理演算（排他的論理和）を行う回路である。ＥＸ−ＯＲ２は、第１の入力端子及び第２の入力端子（ともに図示せず）を有する。ＥＸ−ＯＲ２には、ＥＸ−ＯＲ１から出力された出力信号（主信号又は主信号の論理反転信号）が、第１の入力信号として、図示しない第１の入力端子を介して入力される。また、ＥＸ−ＯＲ２には、遅延器３から出力された遅延信号（詳細は後述する）が、第２の入力信号として、図示しない第２の入力端子を介して入力される。そして、ＥＸ−ＯＲ２は、入力した第１の入力信号及び第２の入力信号に基づいて論理演算を行い、その結果を示す出力信号（第１の出力信号）を出力する。すなわち、ＥＸ−ＯＲ２は、図３に示すように、入力した第２の入力信号が論理「０」の場合には、入力した第１の入力信号と同一の信号を出力信号として出力し、一方、入力した第２の入力信号が論理「１」の場合には、ＥＸ−ＯＲ２は、図３に示すように、入力した第１の入力信号の論理反転信号を出力信号として出力する。このようにＥＸ−ＯＲ２から出力される出力信号（第１の出力信号）の例を、図５の「ＥＸ−ＯＲ２出力（プリコーダ出力）」にそれぞれ示す。このＥＸ−ＯＲ２からの出力信号（第１の出力信号）は、プリコーダ９外に対して出力される出力信号と、遅延器３に対して出力される出力信号とに２つに分配される。なお、プリコーダ９外に対して出力される出力信号は、プリコーダ９の外でさらに２つに分配される。
【００２１】
遅延器３には、ＥＸ−ＯＲ２から出力された第１の出力信号が入力される。遅延器３は、ＥＸ−ＯＲ２から出力された第１の出力信号を一定時間遅延させ、遅延信号を生成する。ここでいう一定時間とは、主信号の１タイムスロット、ディジタル信号の１ビット分である。例えば、１０Gbpsの主信号であれば、１００psecとなる。そして、遅延器３は、生成した遅延信号を、ＥＸ−ＯＲ２へ出力する。上述したように、この遅延信号は、第２の入力信号として、図示しない第２の入力端子を介してＥＸ−ＯＲ２に入力される。なお、入力された第２の入力信号は、図３における各矢印で示すように、第１の入力信号の次のビットと再び論理演算される。
【００２２】
ローパスフィルタ（Low Pass Filter：低域通過フィルタ）４は、プリコーダ９から出力される第１の出力信号のビットレートの約１／３の帯域を有するフィルタである。このローパスフィルタ４には、ＥＸ−ＯＲ２から出力され、プリコーダ９の外で二分配された第１の出力信号のうちの一方が入力される。ローパスフィルタ４は、入力した第１の出力信号を３値信号（−１、０、＋１）に変換し、その信号の帯域幅を約１／３に狭くし、セレクタ回路５に対して出力する。この出力信号は、光デュオバイナリ変調方式の光信号を生成するためのディジタル信号（第２の出力信号）である。このようにローパスフィルタ４から出力される第２の出力信号の例を、図５の「フィルタ出力」に示す。
【００２３】
セレクタ回路５には、入力端子１０から入力された変調方式選択信号が入力される。また、セレクタ回路５には、ＥＸ−ＯＲ２から出力されてプリコーダ９外で二分配された出力信号の両方が入力される。一つは、プリコーダ９の外で二分配された後、直接セレクタ回路５へ入力される第１の出力信号であり、もう一つは、プリコーダ９の外で二分配された後、ローパスフィルタ４を経由して入力される第２の出力信号である。そして、セレクタ回路５は、入力した変調方式選択信号に応じて、第１の出力信号又は第２の出力信号のいずれかを選択する。すなわち、セレクタ回路５は、入力した変調方式選択信号が論理「０」の場合には、直接入力した第１の出力信号を選択する。一方で、セレクタ回路５は、入力した変調方式選択信号が論理「１」の場合には、ローパスフィルタ４を経由して入力された第２の出力信号を選択する。そして、セレクタ回路５は、選択した信号を変調器駆動回路６へ出力する。
【００２４】
変調器駆動回路６には、セレクタ回路５で選択された信号が入力される。変調器駆動回路６は、入力した信号を、光強度変調器７を駆動するために必要な振幅まで増幅する。そして、変調器駆動回路６は、増幅した信号を光強度変調器７へ出力する。
【００２５】
光強度変調器７は、ニオブ酸リチウムという光学材料を用いたＬＮ（LiNbO3：ニオブ酸リチウム）変調器であり、強度変調とは別に、位相変調にも使用することができる。光強度変調器７は、光入力ポート及び光出力ポート（ともに図示せず）を有する。光強度変調器７には、レーザー光源８から光ファイバ及び光入力ポートを介して、所定の波長の光が直接入力される。また、光強度変調器７には、変調器駆動回路６で増幅されて出力された信号が入力される。光強度変調器７は、入力した信号及び光に基づいて光信号を生成し、光出力ポートを介して出力する。このように光強度変調器７から出力される光信号の例を、図５の「光送信信号（強度）」及び「光送信信号（位相）」にそれぞれ示す。
【００２６】
レーザー光源８は、所定の波長の光を光強度変調器７へ出力する。
【００２７】
〔変調方式選択方法〕
次に、本発明の一実施形態である光送信器の動作（本発明の一実施形態である変調方式選択方法）について、図４を参照して説明する。図４は、本発明の一実施形態である光送信器の動作を示すフローチャートである。
【００２８】
ＥＸ−ＯＲ１には、入力端子１０から入力された変調方式選択信号が入力され、かつ、入力端子１１から入力された主信号（２値論理信号）が入力される（ステップＳ１）。
【００２９】
ＥＸ−ＯＲ１は、入力した主信号及び変調方式選択信号に基づいて、論理演算を行う（ステップＳ２）。ＥＸ−ＯＲ１は、入力した変調方式選択信号が論理「０」の場合には（ステップＳ２／０）、ＥＸ−ＯＲ２に対して、入力した主信号と同一の信号を出力する（ステップＳ３）。一方で、ＥＸ−ＯＲ１は、入力した変調方式選択信号が論理「１」の場合には（ステップＳ２／１）、ＥＸ−ＯＲ２に対して、入力した主信号の論理反転信号を出力する（ステップＳ４）。
【００３０】
ＥＸ−ＯＲ２には、ＥＸ−ＯＲ１から出力された出力信号（主信号又は主信号の論理反転信号）が、第１の入力信号として入力される。また、ＥＸ−ＯＲ２には、遅延器３から出力された遅延信号（ＥＸ−ＯＲ２から出力された第１の出力信号を遅延器３が一定時間遅延させた信号）が、第２の入力信号として入力される（ステップＳ５）。
【００３１】
ＥＸ−ＯＲ２は、入力した第１の入力信号及び第２の入力信号に基づいて、論理演算を行う（ステップＳ６）。ＥＸ−ＯＲ２は、入力した第２の入力信号が論理「０」の場合には（ステップＳ６／０）、第１の入力信号と同一の信号を出力する（ステップＳ７）。一方で、ＥＸ−ＯＲ２は、入力した第２の入力信号が論理「１」の場合には（ステップＳ６／１）、第１の入力信号の論理反転信号を出力する（ステップＳ８）。ＥＸ−ＯＲ２から出力された信号は、プリコーダ９外に対して出力される出力信号と、遅延器３に対して出力される出力信号とに２つに分配される。
【００３２】
ＥＸ−ＯＲ２からプリコーダ９外に対して出力される出力信号（第１の出力信号）は、プリコーダ９の外でさらに２つに分配される。そして、二分配された第１の出力信号のうち、一つはセレクタ回路５へ直接入力される。もう一つはローパスフィルタ４に入力され、第２の出力信号として生成され、セレクタ回路５へ入力される（ステップＳ９）。
【００３３】
セレクタ回路５には、入力端子１０から入力された変調方式選択信号が入力される。そして、セレクタ回路５は、入力した変調方式選択信号に基づいて、第１の出力信号又は第２の出力信号のいずれかを選択する（ステップＳ１０）。すなわち、セレクタ回路５は、入力した変調方式選択信号が論理「０」の場合には（ステップＳ１０／０）、第１の出力信号を選択する（ステップＳ１１）。一方で、セレクタ回路５は、入力した変調方式選択信号が論理「１」の場合には（ステップＳ１０／１）、第２の出力信号を選択する（ステップＳ１２）。そして、セレクタ回路５は、選択した信号（これを選択信号という）を変調器駆動回路６へ出力する。
【００３４】
変調器駆動回路６には、セレクタ回路５から出力された選択信号が入力される。変調器駆動回路６は、その選択信号を、光強度変調器７を駆動するために必要な振幅まで増幅し（これを増幅信号という）、光強度変調器７へ出力する（ステップＳ１３）。
【００３５】
光強度変調器７には、変調器駆動回路６から増幅信号が入力される。また、光強度変調器７の光入力ポート（図示せず）には、レーザー光源８から出力された光が、光ファイバを通して直接入力される（ステップＳ１４）。光強度変調器７は、増幅信号により駆動される。駆動された光強度変調器７は、増幅信号と、レーザー光源８から出力された光とに基づいて、光信号を生成する（ステップＳ１５）。そして、光強度変調器７は、生成した光信号を光出力ポート（図示せず）から出力する。
【００３６】
なお、図４に示す処理動作は、時系列的に実行されるのみならず、処理を実行する装置の処理能力、あるいは、必要に応じて並列的にあるいは個別に実行するように構築することも可能である。
【００３７】
図５に本発明の一実施形態である光送信器のタイムチャートを示す。
図５に示すように、本発明の一実施形態である光送信器によれば、変調方式選択信号により、光ＤＰＳＫ変調方式と光デュオバイナリ変調方式に対応したプリコードを構成することが可能となることが分かる。双方とも光受信器（図６に示す光受信器３００）の出力で、主信号が復調されていることが確認できる。
【００３８】
以上説明したように、本実施形態の光送信器及び変調方式選択方法は、光デュオバイナリ変調方式と光ＤＰＳＫ変調方式のうちいずれかを簡便に選択できる。よって、本実施形態の光送信器及び変調方式選択方法によれば、光送信器の製造者にとっては、２つの異なるアプリケーションを１つの製品でカバーすることが可能となる。また、光送信器の使用者にとっては、２つの異なるアプリケーションにおいても、同一の製品を持つことで、保守品などの効率化を図ることが可能となる。
【００３９】
なお、上記説明では本実施形態の光送信器について図１を用いて詳細に説明したが、図８に示す最小限の構成でもよい。すなわち、本発明の光送信器は、図８に示すように、ＥＸ−ＯＲ２（第１の排他的論理和回路）と、遅延器３（遅延手段）と、ローパスフィルタ４（低域通過フィルタ手段）と、セレクタ回路５（選択手段）とを有すればよい。図８に示す各手段は、図１で同一符号を付した各手段と同じであるので、ここでの説明は省略する。図８に示す最小限の構成により、光デュオバイナリ変調方式と光ＤＰＳＫ変調方式の２つの変調方式のうち、いずれかの変調方式を簡便に選択できるようになる。
【００４０】
また、上記説明では本実施形態の変調方式選択方法について図４を用いて詳細に説明したが、図９に示す最小限の構成でもよい。すなわち、本発明の変調方式選択方法は、図９に示すように、第１の出力信号出力ステップ（ステップＳ２１）と、第２の出力信号出力ステップ（ステップＳ２２）と、選択ステップ（ステップＳ２３）とを有すればよい。第１の出力信号出力ステップは、図４のステップＳ５〜Ｓ８と同じであるので、ここでの説明は省略する。また、第２の出力信号出力ステップは、図４のステップＳ９と同じであるので、ここでの説明は省略する。また、選択ステップは、図４のステップＳ１０〜Ｓ１２と同じであるので、ここでの説明は省略する。図９に示す最小限の構成により、光デュオバイナリ変調方式と光ＤＰＳＫ変調方式の２つの変調方式のうち、いずれかの変調方式を簡便に選択できるようになる。
【００４１】
〔光伝送システム〕
次に、上述した本実施形態の光送信器を用いた光伝送システムについて説明する。図６は、本発明の光伝送システムの一実施形態を示す図である。本実施形態の光伝送システムは、伝送容量として１０Gbpsを超えるような超大容量の光伝送システムを想定しているが、このような光伝送システムに限定されるものではなく、他の光伝送システムであってもよい。
【００４２】
本実施形態の光伝送システムは、図６に示すように、光送信器１００と、光伝送媒体２００と、光受信器３００と、を有する。光送信器１００は、上述した本実施形態の光送信器であるので、ここでの説明は省略する。
【００４３】
光送信器１００から出力される光信号は、光伝送媒体２００に対して出力される。光伝送媒体２００は、光ファイバ伝送路のみで構成された光伝送路、あるいは、光ファイバ伝送路が直接増幅中継された光伝送路である。
【００４４】
光伝送媒体２００から出力される光信号は、光受信器３００に対して出力される。光受信器３００は、入力した光信号を前置増幅した後、必要に応じて、光伝送媒体２００の分散（波長分散や偏波分散）による波形歪を補償する。そして、光受信器３００は、波形歪を補償した光信号をベースバンド電気信号に変換し、必要に応じて等化増幅し、タイミング抽出や識別再生を行う。これにより、図５の「光受信器出力」に示すように、主信号が復調される。
【図面の簡単な説明】
【００４５】
【図１】本発明の一実施形態に係る光送信器の構成を示すブロック図である。
【図２】本発明の一実施形態に係る光送信器が備えるＥＸ−ＯＲの論理演算を示す表である。
【図３】本発明の一実施形態に係る光送信器が備えるＥＸ−ＯＲの論理演算を示す表である。
【図４】本発明の一実施形態に係る光送信器の動作を示すフローチャートである。
【図５】本発明の一実施形態に係る光送信器のタイムチャートである。
【図６】本発明の一実施形態に係る光伝送システムの構成を示すブロック図である。
【図７】本発明の一実施形態に係る光送信器のタイムチャートである。
【図８】本発明の一実施形態に係る光送信器の最小限の構成を示すブロック図である。
【図９】本発明の一実施形態に係る光送信器の最小限の動作を示すフローチャートである。
【符号の説明】
【００４６】
１    ＥＸ−ＯＲ（第２の排他的論理和回路）
２    ＥＸ−ＯＲ（第１の排他的論理和回路）
３    遅延器（遅延手段）
４    ローパスフィルタ（低域通過フィルタ手段）
５    セレクタ回路（選択手段）
６    変調機駆動回路（増幅手段）
７    光強度変調器（変調手段）
８    レーザー光源（光源手段）
１０、１１    入力端子
１００    光送信器
２００    光伝送媒体
３００    光受信器
【図１】
2009171135.tif 000003
【図２】
2009171135.tif 000004
【図３】
2009171135.tif 000005
【図４】
2009171135.tif 000006
【図５】
2009171135.tif 000007
【図６】
2009171135.tif 000008
【図７】
2009171135.tif 000009
【図８】
2009171135.tif 000010
【図９】
2009171135.tif 000011